(57)【要約】【課題】  通路の幅方向に沿って設けられた遮断材を上に上げて通行できるだけでなく、押し込むことでも通行可能なゲート用遮断具の提供。【解決手段】  通路の幅方向に沿って設けられる遮断材１と、この遮断材１の一端部に設けられる保持具１０とを備える。遮断材１の右端部には、厚さ方向に順次に折り返された折返し部３が形成されている。保持具１０の突出部１２，１２間に、遮断材１の右端４が差し込まれ、遮断材１の上側の穴５を通るように突出部１２，１２間にピン１５が差し込まれる。遮断材１は、保持具１０に対してボルト１５の軸部まわりに上下方向に回動可能とされると共に、折返し部３まわりに変形可能とされる。【選択図】      図１
2007077734.tif 000002
【特許請求の範囲】
【請求項１】
通路の幅方向に沿って設けられる棒状または板状の遮断材が、その長手方向一端部まわりに上下に回動可能とされると共に、前記一端部まわりに前後にたわみ変形可能とされた
ことを特徴とするゲート用遮断具。
【請求項２】
板面が上下方向に沿うように通路の幅方向に沿って設けられる板状の遮断材を備え、
この遮断材は、その長手方向一端部に厚さ方向に沿って設けられたピンまわりに、回転可能とされると共に、
遮断材の前記一端部側には、厚さ方向に順次に屈曲する折返し部が形成されており、この折返し部まわりに、前後にたわみ変形可能とされた
ことを特徴とするゲート用遮断具。
【請求項３】
前記遮断材の一端部は、前記ピンにより連結される保持具を介して、歩行面から人の胸部高さ程度で支柱などに取り付けられる
ことを特徴とする請求項２に記載のゲート用遮断具。
【発明の詳細な説明】
【技術分野】
【０００１】
本発明は、建築現場などで、作業者用通路に部外者が立ち入らないようにするためのゲート用遮断具に関するものである。
【背景技術】
【０００２】
建築現場などでは、作業者用の足場や通路が組まれることがある。この足場や通路は、危険な場合が多く、作業者以外の者の通行は禁止される。そして、この通行禁止を示すために、従来、ゲート用遮断具が使用されている。
従来のゲート用遮断具は、通行を妨げるように、通路の幅方向に沿って水平に保持されたスチールパイプが、その一端部まわりに上下に回動可能とされていた。
作業者以外の者は、ゲート用遮断具が設けられることでその通路に入ってはいけないことが判別できる。また、作業者が通路を通る際には、一旦、水平に保持された前記スチールパイプを上に上げることで通行が可能であった。
【発明の開示】
【発明が解決しようとする課題】
【０００３】
しかしながら、従来のゲート用遮断具は、スチールパイプを上に上げなければ通ることができなかった。そのため、手に荷物を持った作業者は、わざわざ荷物を一旦降ろして、スチールパイプを上げる必要があった。この動作は面倒であり、作業者がゲート用遮断具を取り外してしまうことがあった。これでは、作業者以外の者が、通路に立ち入ってしまう可能性がある。
【０００４】
本発明が解決しようとする課題は、通路の幅方向に沿って設けられた遮断材を上に上げて通行できるだけでなく、押し込むことでも通行可能なゲート用遮断具を提供することにある。
【課題を解決するための手段】
【０００５】
本発明は、前記課題を解決するためになされたもので、請求項１に記載の発明は、通路の幅方向に沿って設けられる棒状または板状の遮断材が、その長手方向一端部まわりに上下に回動可能とされると共に、前記一端部まわりに前後にたわみ変形可能とされたことを特徴とするゲート用遮断具である。
【０００６】
請求項２に記載の発明は、板面が上下方向に沿うように通路の幅方向に沿って設けられる板状の遮断材を備え、この遮断材は、その長手方向一端部に厚さ方向に沿って設けられたピンまわりに、回転可能とされると共に、遮断材の前記一端部側には、厚さ方向に順次に屈曲する折返し部が形成されており、この折返し部まわりに、前後にたわみ変形可能とされたことを特徴とするゲート用遮断具である。
【０００７】
さらに、請求項３に記載の発明は、前記遮断材の一端部は、前記ピンにより連結される保持具を介して、歩行面から人の胸部高さ程度で支柱などに取り付けられることを特徴とする請求項２に記載のゲート用遮断具である。
【発明の効果】
【０００８】
本発明のゲート用遮断具によれば、通行を妨げる遮断材が、上下に回動するだけでなく前後にもたわみ変形するので、作業者は、手荷物をいちいち降ろすことなく通行することができる。
【発明を実施するための最良の形態】
【０００９】
以下、本発明のゲート用遮断具の一実施例について、図面に基づき更に詳細に説明する。
図１は、本発明のゲート用遮断具の一実施例を示す正面図であり、図２は、図１の平面図である。図３は、図１のＡ―Ａ断面図であり、図４は、図１のＢ―Ｂ断面図である。
また、図５は、図１のゲート用遮断具の使用状態を示す図であり、図６は、ゲート用遮断具の遮断材が上下に回動する状態を示す図であり、図７は、遮断材が前後にたわみ変形する状態を示す図である。
【００１０】
本実施例のゲート用遮断具は、建築現場で組み立てられた足場などに使用され、例えば、図５に示すように、階段などの通路の入り口に設けられて通行を妨げると共に、作業者以外のものが立ち入らないように注意を喚起するために使用される。
【００１１】
本実施例のゲート用遮断具は、通路の幅方向に沿って設けられる遮断材１と、この遮断材１の一端部に設けられる保持具１０とを備える。
遮断材１は、細長い板状とされ、本実施例では合成樹脂で一体形成されており、可撓性を有している。本実施例の遮断材１は特に、ＨＤＰＥ（高密度ポリエチレン）で形成されている。
【００１２】
本実施例では、遮断材１は、長手方向が左右方向に沿うと共に、平らな板面が上下方向に沿うように設けられる。なお、遮断材１の周縁は、図４に示すように、前後方向に若干延出している。
そして、遮断材１の右端部には、厚さ方向に沿う折返し部３が形成されている。
【００１３】
具体的には、図２に示すように、左側から右側へ行くに従って、遮断材１の右端部は、平面視において、板面から後方へ直角に屈曲された後（３ａ）、前方へＵ字状に折り返され（３ｂ）、板面から前方へ延出した後、後方へＵ字状に折り返され（３ｃ）、板面と同じ前後位置で板面に沿うように直角に右側へ屈曲されて延出している。
この右側への延出部は、右側へ行くに従って厚さ方向両側へ拡幅する傾斜面状に形成されており、遮断材１の右端４は厚肉に形成されている。この折返し部３において、板面から前方への延出距離と、後方への延出距離は同じとされる。
このように、遮断材１の右端部は、厚さ方向に順次に折り返されており、平面視において横向きＳ字状の波形に形成されている。
【００１４】
遮断材１の厚肉に形成された右端４には、厚さ方向に貫通する穴５が、上下に離間して２つ形成されている。そして、この遮断材１の右端４に、保持具１０が設けられる。
保持具１０は、金属板を屈曲して形成されたコ字形状材とされる。本実施例では、保持具１０は、その開放両端片が左側へ向けられると共に、開放両端片間の溝が上下方向に沿うように配置される。本実施例では、保持具１０の上端部は、上板１１により塞がれている。
【００１５】
また、保持具１０の開放両端片の上端部は、それぞれ左側へ矩形状に突出している。この保持具１０の突出部１２，１２は、上板１１より左側へ延出している。
そして、保持具１０の突出部１２，１２間に、遮断材１の右端４が差し込まれる。本実施例では、保持具１０の開放両端片間の幅と、遮断材１の右端４の厚さは対応しており、遮断材１の右端４は、保持具１０の突出部１２，１２間にはめ込まれる。
【００１６】
そして、遮断材１の上側の穴５を通るように突出部１２，１２間にピン１５が差し込まれる。本実施例では、突出部１２，１２間にピン１５としてボルト１５が差し込まれ、ボルト１５の先端部にナット１７がねじ込まれる。これにより、遮断材１が保持具１０に取り付けられ、遮断材１は、保持具１０に対してボルト１５の軸部まわりに上下方向に回動可能とされる。本実施例では、遮断材１に穴５が二つ形成されていることで、遮断材１の上下を逆にしても保持具１０に遮断材１を取り付けることが可能である。
【００１７】
このような構成の本実施例のゲート用遮断具は、図５〜図７に示すように、保持具１０の下端部が支柱２２などに設けられたポケット２０に差し込まれて使用される。
建築現場などで足場を組むのに使用される支柱２２には、支柱２２同士を連結したり、布板を取り付けたりするためのポケット２０が軸方向に複数箇所設けられており、しかも周方向にも例えば４個等間隔に設けられている。ポケット２０は、コ字形の金具が支柱２２に溶接で固定されて構成される。なお、周方向に隣接するポケット２０，２０同士は、上下に互い違いに固定されている。
【００１８】
保持具１０がポケット２０に差し込まれた状態では、遮断材１の右端４の下端部がポケット２０に当接することで、遮断材１は、ほぼ左右方向に沿うように、つまり水平に設けられる。これにより、通路の通行が阻まれ、作業者以外の者は立ち入りが禁止されていることが把握できる。なお、本実施例のゲート用遮断具を取り付ける場合、人の胸部高さ程度の位置に取り付けるのが好ましく、具体的には、歩行面から１ｍ〜１ｍ５０ｃｍ程度の高さに取り付けるのが好ましい。また、遮断材１は、水平に保持された状態において、隣接して通路を構成する支柱２２Ａと支柱２２Ｂの間隔の少なくとも半分を超える長さが好ましい。
【００１９】
作業者が、ゲート用遮断具を設けられた通路を通る場合には、図６に示すように、一旦、遮断材１をピン１５まわりに上方へ回動させることで通ることができる。そして、遮断材１を一旦上に上げた状態から手を離すと、遮断材１は自重で下に下り、再び通路を閉鎖する。なお、保持具１０には、上板１１が設けられていることで、遮断材１を上方に回動する際、遮断材１は上板１１に当接することで、一定以上の回動が阻止される。本実施例では、遮断材１がほぼ垂直状態まで回動可能となるように上板１１が設けられている。
【００２０】
また、作業者は、図７に示すように、遮断材１を進行方向（前方）へ押し込むことでも通過することが可能である。
つまり、遮断材１には、右端部に折返し部３が形成されていることで、遮断材１を手や体で進行方向へ押し込むと、この折返し部３が弾性変形し、遮断材１は前方へたわむ。このように、遮断材１が前方へたわんで変形することで、作業者は遮断材１を前方へ押し込みながら通路を通過することが可能となる。作業者が通過した後は、遮断材１は、自己の復元力により再び最初の位置へ戻る。
【００２１】
このように、本実施例のゲート用遮断具によれば、遮断材１をピン１５まわりに一旦上に回動させて通行するほか、遮断材１を折返し部３まわりにたわませていくことでも通行することができる。よって、作業者が手荷物を持っており、遮断材１を手で上に上げることができない場合でも、体で遮断材１を押し込むことで通行することができる。
【００２２】
ところで、本実施例のゲート用遮断具を使用する場合、図５や図６に示すように、遮断材１に例えば、「ここに入ってはいけません」などの注意文を表示することができる。
この注意文は、シールなどに印刷されたものを遮断材１の板面に貼着してもよいし、直接板面に記入したり、印刷するようにしたりすることも可能である。
このように、遮断材１に注意文を表示することで、作業者以外の者にさらなる注意を喚起することが可能になる。
【００２３】
本発明のゲート用遮断具は、上記実施例に限らず、適宜変更可能である。
たとえば、遮断材１の右端部に形成された折返し部３は、上記実施例では、２回折り返されているが、１回または３回以上の折り返しても構わない。また、上記実施例では、遮断材１を板状としたが、棒状として、その一端部に折返し部を同様に形成する構成としても構わない。
【００２４】
遮断材１の材質が可撓性に優れた材質の場合には、折返し部を形成することなく、遮断材１を前後に撓ませて、通行する構成としても構わない。
また、折返し部を形成するかわりに、遮断材１の右端部にゴムなどの弾性材を取り付け、遮断材１を上下に回動できる他、弾性材まわりに前後に撓んで変形するようにしても構わない。
さらに、遮断材１の二つの穴５を両方とも保持具に固定する構成として、上下の回動を阻止して、前後にのみたわみ変形させて通行するようにしてもよい。
【図面の簡単な説明】
【００２５】
【図１】本発明のゲート用遮断具を示す正面図である。
【図２】図１の平面図である。
【図３】図１のＡ―Ａ断面図である。
【図４】図１のＢ―Ｂ断面図である。
【図５】図１のゲート用遮断具の使用状態を示す図である。
【図６】図１のゲート用遮断具の遮断材が上下に回動する状態を示す図である。
【図７】図１のゲート用遮断具の遮断材が前後にたわみ変形する状態を示す図である。
【符号の説明】
【００２６】
１  遮断材
３  折返し部
１０  保持具
１５  ピン
【図１】
2007077734.tif 000003
【図２】
2007077734.tif 000004
【図３】
2007077734.tif 000005
【図４】
2007077734.tif 000006
【図５】
2007077734.tif 000007
【図６】
2007077734.tif 000008
【図７】
2007077734.tif 000009